(57)【特許請求の範囲】
【請求項１】
遊技盤に形成された遊技領域に、通常時より、遊技球が入球可能な球受け部を形成した球受け部材あるいは遊技球が通過可能な球通過部を形成した球通過部材が遊技盤から突出している遊技部品及び該遊技部品の直上に釘が配置され、該釘の角度を変更すると前記球受け部材への遊技球の入賞率あるいは前記通過部材への遊技球の通過率が変化する弾球遊技機において、
前記遊技部品は遊技盤に取着するための取付基板を有し、該取付基板に開口部を開設すると共に、該開口部内には、前記球受部材あるいは前記球通過部材を挿通して設け、前記球受部材の球受部あるいは前記球通過部材の球通過部を前記取付基板の前面から出入可能とし、さらに、前記球受部材の球受部あるいは前記球通過部材の球通過部が前記取付基板の前面に突出した状態を保持する保持手段を備え、該保持手段は前記球受部材の球受部あるいは前記球通過部材の球通過部を手で押入することにより解除されることを特徴とする弾球遊技機の遊技部品。
【請求項２】
請求項１記載の弾球遊技機の遊技部品において、
前記保持手段は前記球受部材の球受部あるいは前記球通過部材の球通過部を引出すことにより固定されることを特徴とする弾球遊技機の遊技部品。
【発明の詳細な説明】
【０００１】
【発明の属する技術分野】
本発明は、遊技盤面に配設される遊技部品に関するものである。
【０００２】
【従来の技術】
従来、遊技盤面に配設される遊技部品には、代表的な例として入賞チャッカーや図柄始動用のゲート等がある。これら遊技部品は、遊技盤に取着するための取付基板の前面に遊技球が入球するための球受部あるいは遊技球が通過するための球通過部を一体に形成し、遊技盤の前面よりビス等により螺設されている。
【０００３】
【発明が解決しようとする課題】
ところで、これら従来の遊技部品にあっては、釘調整をする際に誤って破損してしまうということがよくあった。詳しくは、遊技盤に形成される遊技領域には遊技球をあらゆる方向へ誘導するための複数の釘がほぼ全域に渡って突設しており、特に遊技部品の周囲には、この釘が密集して突設している。この遊技部品の周囲に突設した釘は、遊技部品の球受部あるいは球通過部への遊技球の入賞率あるいは通過率を変化させる上において重要な作用をしており、入賞率あるいは通過率を変化させるためには、これらの釘の調整をする必要がある。
【０００４】
これらの釘の調整は、特に球受部あるいは球通過部両端の直上にある２本の釘（以下、命釘と言う）の調整が非常に重要であり、この命釘間の幅を広くすれば、遊技球が命釘間を通過し易くなるので遊技部品への入賞率あるいは通過率を高くすることができ、逆に狭くすれば、遊技球が命釘間を通過し難くなるので遊技部品への入賞率あるいは通過率を低くすることができる。したがって、この命釘の調整は遊技店の営業方針により頻繁に調整する必要がある。
【０００５】
一方、この釘調整は、遊技店の店員がハンマーなどで直接釘を殴打し、釘の突設角度を調整することによりおこなっている。したがって、命釘などの遊技部品の球受部あるいは球通過部の直上にある釘を調整するときに、目測を誤ると釘を殴打せずに遊技部品の突出部、即ち遊技部品に形成される球受部あるいは球通過部を殴打してしまい遊技部品が破損してしまうという問題になっていた。
【０００６】
さらに、釘調整には熟練した技術が必要であり、釘調整をおこなう店員が初心者であるような場合には、命釘を調整する際に、球受部あるいは球通過部が邪魔になって、正確に調整することができず、入賞率あるいは通過率を目標値に調整することができない。その上、釘調整に時間がかかりすぎるなどの問題にもなっていた。
【０００７】
そこで、本発明は上記のような事情に鑑みてなされたもので、その目的は、釘調整時に誤って遊技部品を破損するようなことがなく、さらに、初心者であっても、正確に釘調整をすることができ、その上、釘調整にかかる時間を短縮することができる弾球遊技機の遊技部品を提供することである。
【０００８】
【課題を解決するための手段および発明の効果】
本発明は、上記課題に鑑み提案されたもので、請求項１記載の弾球遊技機の遊技部品は、遊技盤に形成された遊技領域に、通常時より、遊技球が入球可能な球受け部を形成した球受け部材あるいは遊技球が通過可能な球通過部を形成した球通過部材が遊技盤から突出している遊技部品及び該遊技部品の直上に釘が配置され、該釘の角度を変更すると前記球受け部材への遊技球の入賞率あるいは前記通過部材への遊技球の通過率が変化する弾球遊技機において、前記遊技部品は遊技盤に取着するための取付基板を有し、該取付基板に開口部を開設すると共に、該開口部内には、前記球受部材あるいは前記球通過部材を挿通して設け、前記球受部材の球受部あるいは前記球通過部材の球通過部を前記取付基板の前面から出入可能とし、さらに、前記球受部材の球受部あるいは前記球通過部材の球通過部が前記取付基板の前面に突出した状態を保持する保持手段を備え、該保持手段は前記球受部材の球受部あるいは前記球通過部材の球通過部を手で押入することにより解除されることを特徴とするものである。
【０００９】
遊技部品の取付基板に開口部を開設し、該開口部内に遊技球が入球可能な球受部を形成した球受部材あるいは遊技球が通過可能な球通過部を形成した球通過部材を挿通して設けることにより、前記球受部材の球受部あるいは前記球通過部材の球通過部を出入可能としたので、釘調整時には、前記球受部あるいは球通過部を前記取付基板の前面より押入することにより、釘の先端の高さよりも低くすることができる。したがって、ハンマーなどで釘を殴打するときに目測を誤っても、釘の先端を殴打することはあっても遊技部品を直接殴打してしまうことはない。即ち、遊技部品を釘調整時に破損してしまうということを防止することができる。
【００１０】
さらに、初心者が釘調整をおこなっても、球受部あるいは球通過部を前記取付基板の前面より押入することができるので、球受部あるいは球通過部を邪魔にならない位置まで押入することにより、正確に釘調整を行なうことができる。しかも、球受部あるいは球通過部が邪魔にならない分だけ早く釘調整をおこなうことができるので、作業時間を短縮することができる。
【００１２】
前記遊技部品には、前記球受部材の球受部あるいは前記球通過部材の球通過部が前記取付基板の前面に突出した状態を保持する保持手段を備えているので、遊技中に、前記球受部あるいは球通過部に遊技球が入球あるいは通過するときの衝撃などにより、前記球受部あるいは前記球通過部が移動してしまって、遊技に支障をきたすようなことがない。
【００１３】
前記保持手段は、前記球受部あるいは前記球通過部を手で押入することにより解除できるように構成したので、何ら工具などを必要とすることなく、短時間で釘調整ができるという優れた効果を発揮する。
【００１４】
加えて、請求項２記載の弾球遊技機の遊技部品は、請求項１記載の弾球遊技機の遊技部品において、前記保持手段は前記球受部材の球受部あるいは前記球通過部材の球通過部を引出すことにより固定することを特徴とするものである。
【００１５】
前記保持手段は、押入された前記球受部あるいは前記球通過部を手で引出すという簡便な動作で固定できるように構成したので、固定ミスなどにより、遊技球が入賞あるいは通過する際に、球受部あるいは球通過部で球詰まりなどを起こすことがない。
【００１６】
【発明の実施の形態】
次に、好適な実施例により発明の実施の形態をより具体的に説明する。なお、本発明の実施の形態は、下記の実施例に何ら限定されるものではなく、本発明の技術的範囲に属する限り種々の形態を採り得ることはいうまでもない。
【００１７】
【実施例】
図１はパチンコ機の遊技盤１０の正面図であり、いわゆる第１種パチンコ機と呼ばれるものである。このパチンコ機本体の構成は公知の技術にしたがっているので図示および説明は省略する。
図１に示すように、遊技盤１０は、周囲をガイドレール１１により円形状に外囲され、このガイドレール１１に囲まれた領域が遊技領域１２となる。この遊技領域１２には複数の釘１３がほぼ全域にわたって設けられており、この釘１３によって遊技領域１２に発射された遊技球を任意の位置に誘導することができる。遊技領域１２の略中央部にはセンター役物１４が装着されており、このセンター役物１４の周囲には、ランプ風車１５、１５、風車１６、１６、図柄始動用ゲート１７、１７、サイドランプ１８、１８、始動口１９が配設されている。
【００１８】
始動口１９の左右には肩入賞口２０、２０が配設されており、始動口１９の下方には入賞装置２１が装着されている。この入賞装置２１は、中央に大入賞口２２を設けており、その両端に袖入賞口２３、２３が設けられている。そして、入賞装置２１の下方、ガイドレール１１の最下部にはアウト口２４が配設されている。
【００１９】
次に、本発明に係る遊技部品の代表例である肩入賞口２０、図柄始動用ゲート１７の構造について説明をする。図２〜図４は肩入賞口２０の構造を示す図であり、図５〜図７は図柄始動用ゲート１７の構造を示す図である。
まず、図２〜図４にしたがって、肩入賞口２０の構造について説明すると、図２は肩入賞口２０の正面斜視図、図３は同裏面斜視図、図４は同縦断面図である。
【００２０】
図に示すように、肩入賞口２０は遊技盤１０に螺設するための部材となる取付基板２５にて各部を支持する構造である。まず、取付基板２５には、適宜の個所に遊技盤１０に螺設するための取付孔２６が穿設されており、略中央部には開口部２７を開口する。この開口部２７には、裏面から球受部材２８が挿通されており、球受部材２８は開口部２７内を前後方向に摺動可能となっている。
【００２１】
球受部材２８の上部には、遊技球が入球する球入口２９が形成されると共に、その下方に連通状に入球した遊技球を後方へ導くための球誘導樋３０が一体に延長形成されている。また、球受部材２８の裏面上部両端には、球受部材２８が取付基板２５の前方へ脱落しないようにするためのＬ字状の脱落防止片３１が突設している。そして、球受部材２８の外側下部には、球入口２９が取付基板２５の前方に突出した状態を維持するための保持機構３２が設けられている。この保持機構３２は、球受部材２８の下部外側やや中央から後方側に延出された弾性片３２ａが設けられており、この弾性片３２ａは固定点３２ｂを支点として揺動変位可能であり、下面には台形状の係合突起３２ｃが設けられている。
【００２２】
球受部材２８の下方には、表面構成部材３３が取付けられており、この表面構成部材３３は着色された樹脂で形成され、装飾効果を発揮するものである。また、この表面構成部材３３を透光性を有する樹脂などで形成し、裏面より光源、即ちランプなどで照射すればより一層の装飾効果を発揮することもできる。
【００２３】
次に、図５〜図７にしたがって、図柄始動用ゲート１７の構造について説明をする。図５は図柄始動用ゲート１７の正面斜視図、図６は同裏面斜視図、図７は同縦断面図である。
図に示すように、図柄始動用ゲート１７は遊技盤１０に螺設するための部材となる取付基板３４にて各部を支持する構造である。この取付基板３４には、適宜の個所に遊技盤１０に螺設するための取付孔３５が穿設されており、中央部には開口部３６を開口する。この開口部３６には、裏面から球通過部材３７が挿通されており、球通過部材３７は開口部３６内を前後方向に摺動可能となっている。
【００２４】
球通過部材３７の前方部分には、遊技球が通過する球通過口３８が形成されており、後端面には、通過した遊技球を検出する遊技球検出スイッチ（図示せず）を挿通するための貫通孔３９が設けられている。また、球通過部材３７の右側面後方には、球通過部材３７が取付基板３４の前方へ脱落しないようにするためのＬ字状の脱落防止片４０が突設している。また、球通過部材３７の右側面前方には、球通過口３８が取付基板３４の前方に突出した状態を維持するための保持機構４１が設けられている。この保持機構４１は、球通過部材３７の右側面やや中央から後方側に延出された弾性片４１ａが設けられており、この弾性片４１ａは固定点４１ｂを支点として揺動変位可能であり、側面には台形状の係合突起４１ｃが設けられている。
【００２５】
次に、上記で説明した構造の肩入賞口２０の球受部材２８、図柄始動用ゲート１７の球通過部材３７の押入方法について、図８にしたがって説明をする。なお、肩入賞口２０の球受部材２８の押入方法も図柄始動用ゲート１７の球通過部材３７の押入方法も同様であるので、ここでは、図柄始動用ゲート１７を代表例として説明をする。
【００２６】
図８は、図柄始動用ゲート１７を遊技盤１０に取付けた状態の正面斜視図であり、（ａ）は球通過部材３７が通常状態、（ｂ）は球通過部材３７を押入したときの状態の図である。図に示すように、図柄始動用ゲート１７は取付基板３４に適宜設けられた取付孔３５に挿通されるビス等により、遊技盤１０に螺設されている。
【００２７】
球通過部材３７が通常の状態では（ａ）に示すように、前方部分に形成される球通過口３８を取付基板３４の表面から突出した状態に位置している。この状態では、球通過口３８の上方に突設している釘１３、１３の先端の高さと球通過部材３７の先端部の高さはほぼ同じ高さとなっている。また、このときは球通過部材３７の右側面に設けられる保持機構４１の係合により、球通過部材３７の位置は保持されているので、遊技球が球通過口３８を通過する際の衝撃などで球通過部材３７の位置が移動するようなことがない。したがって、球通過部材３７の位置が移動することによる球通過口３８の大きさが変化するということがないの
で、球詰まりなどが発生することがない。
【００２８】
上記の状態から、釘調整を行なうときには、球通過部材３７を矢印Ｐ方向に押すことにより、（ｂ）に示すように、球通過部材３７を取付基板３４の開口部３６内を摺動しながら押入することができる。この球通過部材３７を押入した状態では、球通過部材３７の先端部の高さは釘１３、１３の先端の高さよりもはるかに低くなる。したがって、この状態で釘調整をおこなえば、釘１３、１３を必ず殴打することになるので、目測を誤るようなことがあっても球通過部材３７を殴打して損傷させるようなことがない。また、釘調整を行なう店員が初心者であっても、球通過部材３７が、このような状態であれば釘調整を容易に行なうことができると共に、短時間で、しかも正確に釘調整ができるという優れた効果を発揮する。また、球通過部材３７を押入するときには、手で押すという簡単な操作で保持機構４１の係合を解除し、押入することができるので作業性が良い。
【００２９】
次に、保持機構４１の作用について、図９に従って説明をする。図９は、図柄始動用ゲート１７の横断面図で、（ａ）は球通過部材３７が通常の状態、（ｂ）は球通過部材３７が押入中の状態、（ｃ）は球通過部材３７を押入した状態の図である。
【００３０】
（ａ）に示すように、球通過部材３７が通常の状態では、保持機構４１の弾性片４１ａの弾性力により、係合突起４１ｃが開口部３６の縁部に当接するように係合している。この状態では球通過部材３７は、後方の移動を係合突起４１ｃと開口部３６の縁部の係合により規制され、前方への移動を脱落防止片４０により規制されることにより、定位置で保持されている。したがって、球通過部材３７に遊技球の衝撃などが加わっても、球通過部材３７の位置が移動するようなことがない。
【００３１】
（ａ）の状態から球通過部材３７を矢印Ｐ方向に押すと、（ｂ）に示すように弾性片４１ａに固定点４１ｂを中心として弓状に内側に弾性変形させようとする力が発生する。これは、係合突起４１ｃと開口部３６の縁部が当接している係合突起４１ｃの当接面は傾斜面となっており、弾性片４１ａの弾性力よりも矢印Ｐ方向の力が大きくなると、弾性片４１ａを弾性変形させながら係合突起４１ｃが開口部３６を摺動することになる。したがって、係合突起４１ｃと開口部３６の縁部との係合が解除され、球通過部材３７が矢印Ｐ方向に開口部３６を摺動しながら移動する。
【００３２】
そして、係合突起４１ｃが開口部３６を通過すると、（ｃ）に示すように、弾性片４１ａは、自己の弾性力により元の位置に復帰し、球通過部材３７の押入が完了する。また、この状態から球通過部材３７を通常の状態に戻すためには、球通過部材３７を矢印Ｒ方向に引っ張ることで、上記で説明した作用とは逆の作用により、係合突起４１ｃが開口部３６の前面までくると、弾性片４１ａが自己の弾性力により元の位置に復帰し、係合突起４１ｃと開口部３６の縁部が当接し、係合することになるので、球通過部材３７を定位置に保持することができる。また、球通過部材３７を引っ張りすぎるようなことがあっても、脱落防止片４０が設けられているので開口部３６内から球通過部材３７が脱落するようなことはない。
【００３３】
以上説明したように、本発明によれば、球受部材あるいは球通過部材を押入することができるようにしたので、釘調整時などに遊技部品を破損するようなことがない。さらに、初心者であっても正確に釘調整ができると共に、作業時間も短縮することができるという優れた効果を発揮するものである。
【図面の簡単な説明】
【図１】  実施例のパチンコ機の遊技盤の正面図である。
【図２】  実施例の肩入賞口の正面斜視図である。
【図３】  実施例の肩入賞口の裏面斜視図である。
【図４】  実施例の肩入賞口の縦断面図である。
【図５】  実施例の図柄始動用ゲートの正面斜視図である
【図６】  実施例の図柄始動用ゲートの裏面斜視図である。
【図７】  実施例の図柄始動用ゲートの縦断面図である。
【図８】  実施例の図柄始動用ゲートを遊技盤に取付けた斜視図で、（ａ）は球通過部材が通常状態の図であり、（ｂ）は球通過部材が押入状態の図である。
【図９】  実施例の図柄始動用ゲートの横断面図で、（ａ）は球通過部材が通常状態の図であり、（ｂ）は球通過部材が押入中の状態の図であり、（ｃ）は球通過部材が押入状態の図である。
【符号の説明】
１０…遊技盤、１１…ガイドレール、１２…遊技領域、１３…釘、
１４…センター役物、１５…ランプ風車、１６…風車、１７…図柄始動用ゲート、
１８…サイドランプ、１９…始動口、２０…肩入賞口、２１…入賞装置、
２２…大入賞口、２３…袖入賞口、２４…アウト口、２５…取付基板、
２６…取付孔、２７…開口部、２８…球受部材、２９…球入口、
３０…球誘導樋、３１…脱落防止片、３２…保持機構、３２ａ…弾性片、
３２ｂ…固定点、３２ｃ…係合突起、３３…表面構成部材、３４…取付基板、
３５…取付孔、３６…開口部、３７…球通過部材、３８…球通過口、
３９…貫通孔、４０…脱落防止片、４１…保持機構、４１ａ…弾性片、
４１ｂ…固定点、４１ｃ…係合突起。
【図１】
0004448912.tif 000002
【図２】
0004448912.tif 000003
【図３】
0004448912.tif 000004
【図４】
0004448912.tif 000005
【図５】
0004448912.tif 000006
【図６】
0004448912.tif 000007
【図７】
0004448912.tif 000008
【図８】
0004448912.tif 000009
【図９】
0004448912.tif 000010